(57)【要約】【課題】モアレ現象を低減するとともに、視認性を向上することができるタッチセンサを提供する。【解決手段】本発明のタッチセンサ１００は、ベース基板と、ベース基板上に形成され、互いに平行に繰り返して配列された第１電極線１２１を有する第１電極パターン１２０と、第１電極パターン１２０が形成された面から離隔した面に形成され、第１電極線１２１と交差するように互いに平行に繰り返して配列された第２電極線１３１を有する第２電極パターン１３０と、を含み、第１電極線１２１と第２電極線１３１とが交差してなる交差点を結ぶ延長線が、水平方向に対して斜線状に形成されるものである。【選択図】図３
2015032315.tif 000002
【特許請求の範囲】
【請求項１】
ベース基板と、
前記ベース基板上に形成され、互いに平行に繰り返して配列された第１電極線を有する第１電極パターンと、
前記第１電極パターンが形成された面から離隔した面に形成され、前記第１電極線と交差するように互いに平行に繰り返して配列された第２電極線を有する第２電極パターンと、を含み、
前記第１電極線と前記第２電極線とが交差してなる交差点を結ぶ延長線が、水平方向に対して斜線状に形成される、タッチセンサ。
【請求項２】
前記第１電極線は前記ベース基板の一面に形成され、前記第２電極線は前記ベース基板の他面に形成される、請求項１に記載のタッチセンサ。
【請求項３】
前記ベース基板は、
前記第１電極線が形成された第１ベース基板と、
前記第１ベース基板と対向し、前記第２電極線が形成された第２ベース基板と、を含む、請求項１に記載のタッチセンサ。
【請求項４】
前記ベース基板のＸ軸方向に対する第１電極線の角度αと、１８０°から前記ベース基板のＸ軸方向に対する第２電極線の角度βを引算することで得られる値と、の差の絶対値｜α−（１８０−β）｜は、６０゜より小さい、請求項１に記載のタッチセンサ。
【請求項５】
前記ベース基板のＸ軸方向に対する第１電極線の角度αは、１８゜≦α≦７２゜の範囲を有する、請求項４に記載のタッチセンサ。
【請求項６】
前記ベース基板のＸ軸方向に対する第２電極線の角度βは、１０８゜≦β≦１６２゜の範囲を有する、請求項５に記載のタッチセンサ。
【請求項７】
前記ベース基板の一面に形成され、前記第１電極パターンの一端から延びる第１電極配線と、
前記ベース基板の他面に形成され、前記第２電極パターンの一端から延びる第２電極配線と、をさらに含む、請求項１に記載のタッチセンサ。
【請求項８】
ベース基板と、
前記ベース基板上に形成され、互いに平行に離隔した複数個の第１電極線、及び前記第１電極線と交差するように互いに平行に離隔した複数個の第３電極線からなる第１電極パターンと、
前記第１電極パターンが形成された面から離隔した面に形成され、互いに平行に離隔した複数個の第２電極線、及び前記第２電極線と交差するように互いに平行に離隔した複数個の第４電極線からなる第２電極パターンと、を含み、
前記第１電極パターンと第２電極パターンとが互いに交差して前記第１及び第３電極線と前記第２及び第４電極線が交差する交差点が形成され、前記交差点を互いに連結すると傾きが斜線状に形成される、タッチセンサ。
【請求項９】
前記第１電極パターンは前記ベース基板の一面に形成され、前記第２電極パターンは前記ベース基板の他面に形成される、請求項８に記載のタッチセンサ。
【請求項１０】
前記ベース基板は、
前記第１電極パターンが形成された第１ベース基板と、
前記第１ベース基板と対向するように結合され、前記第２電極パターンが形成された第２ベース基板と、を含む、請求項９に記載のタッチセンサ。
【請求項１１】
前記メッシュ形状はダイヤモンド形状である、請求項９に記載のタッチセンサ。
【請求項１２】
前記第１電極パターン及び第２電極パターンにおいて、前記ベース基板のＸ軸方向に対する第１電極線の角度αと、１８０°から前記ベース基板のＸ軸方向に対する第３電極線の角度βを引算して得られる値と、の差の絶対値｜α−（１８０−β）｜は６０゜より小さい、請求項９に記載のタッチセンサ。
【請求項１３】
前記ベース基板のＸ軸方向に対する前記第１電極線の角度αは、１８゜≦α≦７２゜の範囲を有する、請求項１２に記載のタッチセンサ。
【請求項１４】
前記ベース基板のＸ軸方向に対する前記第３電極線の角度βは、１０８゜≦β≦１６２゜の範囲を有する、請求項１２に記載のタッチセンサ。
【発明の詳細な説明】
【技術分野】
【０００１】
本発明は、タッチセンサに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、タッチセンサ（ｔｏｕｃｈ  ｓｅｏｎｓｏｒ）が開発された。
【０００５】
タッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。
【０００７】
このような多様な方式のタッチセンサは、信号増幅の問題、解像度の差、設計及び加工技術の難易度、光学的特性、電気的特性、機械的特性、耐環境特性、入力特性、耐久性及び経済性を考慮して電子製品に採用されるが、現在、もっとも幅広い分野で用いられている方式は、抵抗膜方式タッチセンサ及び静電容量方式タッチセンサである。
【０００８】
このようなタッチセンサは、Ｘ電極パターンとＹ電極パターンとを重ねると、それぞれのパターンに形成された電極でモアレ現像が発生する。モアレ現像を減少させるために、特許文献１（発明の名称：タッチセンサ）に開示されたように、様々な電極パターンの形状を改善するための研究が行われている。
【先行技術文献】
【特許文献】
【０００９】
【特許文献１】韓国公開特許第１０−２０１３−００５８５２５号公報
【発明の概要】
【発明が解決しようとする課題】
【００１０】
本発明の目的は、メッシュ電極パターンの形状を適宜変更することで、ディスプレイ部とのモアレ現象を低減するとともに、２層の電極パターンが積層される場合、電極パターン間の整列の信頼性をより容易に確保することができるタッチセンサを提供することにある。
【００１１】
また、本発明の他の目的は、メッシュ電極パターンをなすそれぞれの単位電極線の延長方向または単位電極線の交差点を結ぶ延長線の方向、及び積層されたディスプレイ部のブラックマトリックスとのモアレ現象を防止するために各方向を決定する勾配を効果的に設定することで、視認性を向上することができるタッチセンサを提供することにある。
【課題を解決するための手段】
【００１２】
本発明の一実施例によるタッチセンサは、ベース基板と、前記ベース基板上に形成され、互いに平行に繰り返して配列された第１電極線を有する第１電極パターンと、前記第１電極パターンが形成された面から離隔した面に形成され、前記第１電極線と交差するように互いに平行に繰り返して配列された第２電極線を有する第２電極パターンと、を含み、前記第１電極線と前記第２電極線とが交差してなる交差点を結ぶ延長線が、水平方向の水平線に対して斜線状に形成される。
【００１３】
また、前記第１電極パターン及び第２電極パターンにおいて、前記ベース基板のＸ軸方向に対する第１電極線の角度αと、１８０°から前記ベース基板のＸ軸方向に対する第２電極線の角度βを引算して得られる値と、の差の絶対値｜α−（１８０−β）｜は、６０゜より小さいことが好ましい。
【００１４】
前記ベース基板のＸ軸方向に対する第１電極線の角度αは、１８゜≦α≦７２゜の範囲を有することが好ましい。
【００１５】
前記ベース基板のＸ軸方向に対する第２電極線の角度βは、１０８゜≦β≦１６２゜の範囲を有することが好ましい。
【発明の効果】
【００１６】
本発明によると、画像の投影過程でベース基板の上、下部の電極パターンの間における線の重なりによって発生するモアレ（ｍｏｉｒｅ）現像を著しく減少させることができる。
【００１７】
また、本発明によると、Ｘ軸電極パターン及びＹ軸電極パターンのアライン工程が簡素化され、モアレ現像を減少させることができる。
【００１８】
そして、本発明によると、メッシュ形状のＸ軸電極パターン及びＹ軸電極パターンのアライン工程が簡素化され、モアレ現像を減少させることができる。
【００１９】
更に、本発明によると、ベース基板に形成された電極パターンと、カラーフィルターに形成された画素格子またはブラックマトリックスとの線の重なりを最小化することで、視認性を改善することができる。
【図面の簡単な説明】
【００２０】
【図１】本発明の第１実施例による第１電極パターンを図示した平面図である。
【図２】本発明の第１実施例による第２電極パターンを図示した平面図である。
【図３】図１及び図２の第１電極パターンと第２電極パターンとが結合されたタッチセンサの例示図である。
【図４】図３のＡ部分の拡大図である。
【図５】図３の第１電極線と第２電極線とが交差する角度を示す例示図である。
【図６】図５の第１電極線の角度の例示図である。
【図７】図５の第２電極線の角度の例示図である。
【図８】本発明の第２実施例によるタッチセンサの断面図である。
【図９】本発明の第３実施例によるタッチセンサの断面図である。
【図１０】図３の変形例によるタッチセンサの例示図である。
【図１１】図１０のＢ部分の拡大図である。
【発明を実施するための形態】
【００２１】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２２】
以下、添付図面を参照して、本発明の好ましい実施例を詳細に説明する。
【００２３】
図１は、本発明の第１実施例による第１電極パターンを図示した平面図であり、図２は、本発明の第１実施例による第２電極パターンを図示した平面図であり、図３は、図１及び図２の第１電極パターンと第２電極パターンとが結合されたタッチセンサの例示図であり、図４は、図３のＡ部分の拡大図であり、図５は、図３の第１電極線と第２電極線とが交差する角度を示す例示図であり、図６は、図５の第１電極線の角度を示す例示図であり、図７は、図５の第２電極線の角度を示す例示図であり、図８は、本発明の第２実施例によるタッチセンサの断面図であり、図９は、本発明の第３実施例によるタッチセンサの断面図であり、図１０は、図３の変形例によるタッチセンサの例示図であり、図１１は、図１０のＢ部分の拡大図である。
【００２４】
本発明のタッチセンサ１００は、ベース基板１１０と、ベース基板１１０の両面にそれぞれ形成された第１電極パターン１２０及び第２電極パターン１３０と、を含む。
【００２５】
ベース基板１１０は、電極パターン１２０、１３０及び電極配線１５０、１６０が形成される領域を提供する役割をする。
【００２６】
ここで、ベース基板１１０は、アクティブ領域とベゼル領域とに区画される。アクティブ領域は、入力手段のタッチが認識できるように電極パターン１２０、１３０が形成される部分であって、ベース基板１１０の中心に備えられる。また、ベゼル領域は、電極パターン１２０、１３０から延びる電極配線１５０、１６０が形成される部分であって、アクティブ領域の縁部に備えられる。
【００２７】
この際、ベース基板１１０は、電極パターン１２０、１３０及び電極配線１５０、１６０を支持することができる支持力と、画像表示装置（不図示）から提供される画像をユーザが認識できるようにする透明性を備えなければならない。
【００２８】
上述の支持力及び透明性を考慮して、ベース基板１１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００２９】
図１は、本発明の第１実施例による第１電極パターンを図示した平面図であり、図２は、本発明の第１実施例による第２電極パターンを図示した平面図である。
【００３０】
図面を参照して説明すると、電極パターン１２０、１３０は、入力手段がタッチする際に信号を発生させて、コントローラでタッチ座標が認識されるようにする役割をするものであって、ベース基板１１０上に形成される。
【００３１】
本発明の実施例において、ベース基板１１０のＸ軸方向に形成される電極パターンを第１電極パターン１２０とし、ベース基板１１０のＹ軸方向に形成される電極パターンを第２電極パターン１３０とする。
【００３２】
本発明によると、ベース基板１１０に形成された第１電極パターン１２０及び第２電極パターン１３０に第１電極線１２１及び第２電極線１３１がそれぞれ配置される。この際、第１電極線１２１と第２電極線１３１とが互いに交差角を形成して視認性を向上させる。また、アライン工程を簡素化し、加工工程の収率を向上させて、タッチセンサ１００の生産性を向上させることができる。
【００３３】
本明細書において、電極線の配列方向を指称するＸ軸方向またはＹ軸方向の用語は、発明の理解を容易にするために選択された用語であり、Ｘ軸方向とＹ軸方向は互いに交差するように形成され、水平及び垂直線からなることができる。このように交差する両方向の基準は、ディスプレイ上に水平及び垂直に配置されたブラックマトリックス層の水平及び垂直方向の延長線と一致すると定義する。
【００３４】
図３は、図１及び図２の第１電極パターンと第２電極パターンとが結合されたタッチセンサの例示図であり、図４は、図３のＡ部分の拡大図であり、図５は、図３の第１電極線と第２電極線とが交差する角度を示す例示図であり、図６は、図５の第１電極線の角度を示す例示図であり、図７は、図５の第２電極線の角度を示す例示図である。
【００３５】
図面を参照して説明すると、第１電極パターン１２０と第２電極パターン１３０は、互いに電気的に連結され、一定のパターンをそれぞれ形成する第１電極線１２１及び第２電極線１３１を有する。即ち、第１電極線１２１及び第２電極線１３１は、一定のパターンを有するように形成され、それぞれのパターンが電気的に連結されて第１電極パターン１２０及び第２電極パターン１３０を形成する。
【００３６】
第１電極パターン１２０を形成する第１電極線１２１が、ベース基板１１０の一面に多数個の線で平行に形成される（図３参照）。第１電極線１２１は、ベース基板のＸ軸方向に対して傾きを有するように形成される。即ち、多数個の第１電極線１２１がＸ軸方向に所定角度傾いた状態で平行に配置される。
【００３７】
第１電極線及び第２電極線は、互いに交差するように配置される。これは、第１電極線及び第２電極線のアライン工程を簡素化し、また、モアレ現像を減少させて、視認性を改善するためである。
【００３８】
ベース基板１１０のＸ軸方向に対する第１電極線１２１の角度αは、１８゜≦α≦７２゜の範囲を有することが好ましい（図６参照）。また、ベース基板１１０のＸ軸方向に対する第２電極線１３１の角度βは、１０８゜≦β≦１６２゜の範囲を有する（図７参照）ことが好ましい。この際、第１電極線１２１と第２電極線１３１との交差点を互いに連結すると、傾きが斜線状に形成される（図４参照）。これにより、モアレ現像を減少させる。
【００３９】
ベース基板１１０のＸ軸方向に対する第１電極線１２１の角度αと、１８０°からベース基板１１０のＸ軸方向に対する第２電極線１３１の角度βを引算することで得られる値と、の差の絶対値｜α−（１８０−β）｜は、６０゜より小さいことが好ましい。これは、モアレ現像を減少させるためである。
【００４０】
ベース基板１１０のＸ軸方向に対する第１電極線１２１の角度αが７２゜である場合、第２電極線１３１の角度βは１０８゜ではないように、且つαと（１８０−β）とが互いに異なるように形成されるように、角度α及び角度βが選択されることが好ましい。これは、第１電極線１２１と第２電極線１３１とを互いに交差させて通電させることで、Ｘ、Ｙ座標を得るためである。
【００４１】
また、第１電極線１２１と第２電極線１３１とを互いに交差させることにより、モアレ現像を減少させる。勿論、第１電極線１２１及び第２電極線１３１の角度α、βを互いに変えてもよい。
【００４２】
ベース基板１１０のＸ軸方向に対する第１電極線１２１の角度αと、１８０°からベース基板１１０のＸ軸方向に対する第２電極線１３１の角度βを引算することで得られる値と、の差の絶対値｜α−（１８０−β）｜は、４０゜より小さいことが好ましい。
【００４３】
ベース基板１１０のＸ軸方向に対する第１電極線１２１の角度αが６４゜である場合、第２電極線１３１の角度βは１１６゜ではないように、且つαと（１８０−β）とが互いに異なるように形成されるように、角度α及び角度βが選択されることが好ましい。
【００４４】
第１電極線１２１及び第２電極線１３１の数は、ベース基板１１０のアクティブ領域のサイズまたは隣接した第１電極線１２１及び第２電極線１３１がそれぞれ配置されるピッチに応じて調節されることができる。第１電極線１２１及び第２電極線１３１のそれぞれのピッチは１００μｍ〜８００μｍ、直線状の電極の幅は０．５μｍ〜１０μｍであることが好ましい。
【００４５】
電極パターン１２０、１３０の第１電極線１２１及び第２電極線１３１は、スパッタリング（Ｓｐｕｔｔｅｒｉｎｇ）、蒸着（Ｅｖａｐｏｒａｔｉｏｎ）などの乾式工程、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などの湿式工程により形成された金属薄膜を選択的にエッチングして形成してもよく、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などのダイレクト（ｄｉｒｅｃｔ）パターニング工程により形成してもよい。
【００４６】
一方、本発明のタッチセンサ１００は、ベース基板１１０上に形成された第１電極パターン１２０及び第２電極パターン１３０の縁部、即ち、ベース基板１１０のベゼル領域に形成され、第１電極パターン１２０及び第２電極パターン１３０から電気的信号を受信する電極配線１５０、１６０を有する（図１及び図２参照）。
【００４７】
電極配線１５０、１６０は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）またはインクジェット印刷法（Ｉｎｋｊｅｔ  Ｐｒｉｎｔｉｎｇ）などにより印刷することができる。この際、本発明は、電極パターン１２０、１３０と電極配線１５０、１６０を同時に印刷することができる。
【００４８】
また、電極配線１５０、１６０の材料としては、電気伝導度に優れた銀ペースト（Ａｇ  ｐａｓｔｅ）または有機銀を含む物質を用いることが好ましいが、これに限定されず、伝導性高分子、カーボンブラック（ＣＮＴを含む）、ＩＴＯのような金属酸化物や金属類などの低抵抗金属を用いることができる。
【００４９】
図１及び図２に図示したように、第１電極配線１５０は第１電極パターン１２０の一端または他端から延びて形成され（図１参照）、第２電極配線１６０は第２電極パターン１３０の一端または他端から延びて形成される（図２参照）。具体的に、少なくとも２つ以上の第１電極線１２１が一つのセットを成し、各セットの一端部または他端部からベース基板１１０の一面上のベゼル領域に第１電極配線１５０が延びて形成される。また、少なくとも２つ以上の第２電極線１３１が一つのセットを成し、各セットの一端部または他端部からベース基板１１０の他面上のベゼル領域に第２電極配線１６０が延びて形成される。
【００５０】
図８は、本発明の第２実施例によるタッチセンサの断面図である。
【００５１】
以下、図８を参照して、本発明の第２実施例によるタッチセンサを説明する。しかし、本発明の第２実施例によるタッチセンサのベース基板（第１ベース基板２１０及び第２ベース基板２３０）、電極パターン１２０、１３０、及び電極配線（不図示）は、上述の本発明の第１実施例によるタッチセンサと同様であるため、その詳細な説明は省略する。
【００５２】
タッチセンサ２００において、一面に電極パターン１２０、１３０が形成された一対のベース基板２１０、２３０は接着材２８０により互いに接着させることができる。
【００５３】
即ち、第１ベース基板２１０の一面に第１電極パターン１２０が形成され、第２ベース基板２３０の一面に第２電極パターン１３０が形成され、第１ベース基板２１０の一面と第２ベース基板２３０の一面との間に接着材２８０が全体的に形成されて、両ベース基板を全体的に接着させることにより、タッチセンサ２００が形成される。
【００５４】
前記接着材２８０は、第１ベース基板２１０と第２ベース基板２３０とを接着させて第１電極パターン１２０と第２電極パターン１３０とが対向するように配置させる役割をする。ここで、接着材２８０の材質としては、特に制限されないが、光学透明接着剤（Ｏｐｔｉｃａｌ  Ｃｌｅａｒ  Ａｄｈｅｓｉｖｅ；ＯＣＡ）を用いることが好ましい。
【００５５】
一方、第１電極パターン１２０は、ベース基板１１０のＸ軸方向に対して角度を有しながら平行に繰り返して配列された第１電極線１２１を含み、第２電極パターン１３０は、Ｘ軸方向に対して角度を有しながら平行に繰り返して配列された第２電極線１３１を含む。第１電極線１２１及び第２電極線１３１は角度を有しながら互いに交差して投影される。また、第１ベース基板２１０の一面には、第１電極配線（不図示）が第１電極パターン１２０の一端から延びてさらに形成され、第２ベース基板２３０の一面には、第２電極配線（不図示）が第２電極パターン１３０の一端から延びてさらに形成される。
【００５６】
以下、本発明の第１変形例によるタッチセンサを説明する。しかし、本発明の第１変形例によるタッチセンサのベース基板（第１ベース基板２１０及び第２ベース基板２３０）、電極パターン１２０、１３０及び電極配線（不図示）は、上述の本発明の第１実施例によるタッチセンサと同様であるため、その詳細な説明は省略する。
【００５７】
本発明の第１変形例によるタッチセンサ２００において、一面に電極パターン１２０、１３０が形成された一対のベース基板２１０、２３０は、接着材２８０により互いに接着することができる。
【００５８】
即ち、第１ベース基板２１０の一面に第１電極パターン１２０が形成され、第２ベース基板２３０の一面に第２電極パターン１３０が形成され、第１ベース基板２１０の縁部と第２ベース基板２３０の縁部との間に接着材２８０が形成されて、両ベース基板を接着させることにより、タッチセンサ２００が形成される。
【００５９】
この際、前記接着材２８０は、第１ベース基板２１０の縁部と第２ベース基板２３０の縁部とを接着させて、第１電極パターン１２０と第２電極パターン１３０とが対向するように配置させる役割をする。
【００６０】
ここで、接着材２８０の材質としては、特に制限されないが、光学透明接着剤（Ｏｐｔｉｃａｌ  Ｃｌｅａｒ  Ａｄｈｅｓｉｖｅ；ＯＣＡ）または両面接着テープ（Ｄｏｕｂｌｅ  Ａｄｈｅｓｉｖｅ  Ｔａｐｅ；ＤＡＴ）を用いることが好ましい。
【００６１】
一方、第１電極パターン１２０は、ベース基板のＸ軸方向に対して角度を有しながら平行に繰り返して配列された第１電極線１２１を含み、第２電極パターン１３０は、ベース基板のＸ軸方向に対して角度を有しながら平行に繰り返して配列された第２電極線１３１を含む。第１電極線１２１及び第２電極線１３１は、角度を有しながら互いに交差して投影される。また、第１ベース基板２１０の一面には、第１電極配線（不図示）が第１電極パターン１２０の一端から延びてさらに形成され、第２ベース基板２３０の一面には、第２電極配線（不図示）が第２電極パターン１３０の一端から延びてさらに形成される。
【００６２】
ベース基板（第１ベース基板２１０及び第２ベース基板２３０）、電極パターン１２０、１３０及び電極配線（不図示）についての詳細な説明は、上述の実施例と同様であるため詳細な説明は省略する。
【００６３】
図９は、本発明の第３実施例によるタッチセンサの断面図である。
【００６４】
以下、図９を参照して、本発明の第３実施例によるタッチセンサを説明する。しかし、本発明の第３実施例によるタッチセンサのベース基板（第１ベース基板２１０及び第２ベース基板２３０）、電極パターン１２０、１３０及び電極配線（不図示）は、上述の本発明の第１実施例によるタッチセンサと同様であるため、その詳細な説明は省略し、第１電極線１２１及び第２電極線１３１の構造について詳細に説明する。
【００６５】
ベース基板１１０の一面には第１電極パターン１２０が形成され、他面には第２電極パターン１３０が形成される。第１電極パターン１２０は、互いに電気的に連結されて一定のパターンを形成する第１電極線１２１及び第３電極線１２３を有しており、各パターンは互いに電気的に連結される。また、第２電極パターン１３０は、互いに電気的に連結されて一定のパターンを形成する第２電極線１３１及び第４電極線１３３を有しており、各パターンは互いに電気的に連結される。
【００６６】
第１電極パターン１２０及び第２電極パターン１３０において、様々な形状のメッシュが形成される。
【００６７】
本発明の第３実施例によるタッチセンサ１００では、ダイヤモンド形状のメッシュについて説明する。第１電極線１２１と第３電極線１２３は、互いに交差してダイヤモンド形状に形成される。第１電極線１２１はＸ軸方向に傾きを有するように形成され、第３電極線１２３はＹ軸方向に傾きを有するように形成される（図１０参照）。第１電極線１２１と第３電極線１２３とが互いに交差してダイヤモンドメッシュを形成する。この際、ダイヤモンドメッシュは、Ｘ軸方向に対して所定角度傾いて形成される。ダイヤモンドメッシュにおいて、ベース基板のＸ軸方向から第１電極線１２１と第３電極線１２３との交差点までの距離が異なる。
【００６８】
第１電極パターン１２０のダイヤモンドメッシュは、ベース基板のＸ軸方向に対して異なる角度を有する。ベース基板のＸ軸方向に対する第１電極線１２１の角度αは１８゜≦α≦７２゜の範囲を有し、ベース基板のＸ軸方向に対する第３電極線１２３の角度βは１０８゜≦β≦１６２゜の範囲を有する。これは、第１電極線１２１及び第３電極線１２３をダイヤモンドメッシュ状に形成し、第１電極線１２１と第３電極線１２３とを対角線方向に交差させてモアレ現像を減少させるためである。
【００６９】
ベース基板のＸ軸方向に対する第１電極線１２１の角度αと、１８０°からベース基板のＸ軸方向に対する第３電極線１２３の角度βを引算することで得られる値と、の差の絶対値｜α−（１８０−β）｜は、６０゜より小さいことが好ましい。これは、モアレ現像を減少させるためである。
【００７０】
ベース基板のＸ軸方向に対する第１電極線１２１の角度αが７２゜である場合、第３電極線１２３の角度βは１０８゜ではないように、且つαと（１８０−β）とが互いに異なるように形成されるように、角度α及び角度βが選択されることが好ましい。これは、第１電極線１２１と第３電極線１２３とを互いに交差させてダイヤモンド形状のメッシュを得るためである。
【００７１】
ベース基板のＸ軸方向に対する第１電極線１２１の角度αと、１８０°からベース基板のＸ軸方向に対する第３電極線１２３の角度βを引算することで得られる値と、の差の絶対値｜α−（１８０−β）｜は、４０゜より小さいことが好ましい。ベース基板のＸ軸方向に対する第１電極線１２１の角度αが６４゜である場合、第３電極線１２３の角度βは１１６゜ではないように、且つαと（１８０−β）とが互いに異なるように形成されるように、角度α及び角度βが選択されることが好ましい。
【００７２】
第２電極パターン１３０のダイヤモンドメッシュは、ベース基板のＸ軸方向に対して異なる角度を有する。ベース基板のＸ軸方向に対する第４電極線１３３の角度αは１８゜≦α≦７２゜の範囲を有し、ベース基板のＸ軸方向に対する第２電極線１３１の角度βは１０８゜≦β≦１６２゜の範囲を有する。即ち、第２電極線１３１は第３電極線１２３と同一の角度を有し、第４電極線１３３は第１電極線１２１と同一の角度を有する。場合に応じて、第２電極線１３１及び第４電極線１３３の角度α、βは互いに変えてもよい。
【００７３】
この場合、第１電極パターン１２０と第２電極パターン１３０とを重ねると、ダイヤモンド形状のメッシュが維持される。即ち、第１電極線１２１と第４電極線１３３が互いに平行を成し、第２電極線１３１と第３電極線１２３が平行を成す。これは、第１電極パターン１２０及び第２電極パターン１３０をダイヤモンド形状に維持しながら、第１電極パターン１２０と第２電極パターン１３０との交差点を斜線状に配置するためである。さらに、交差点が斜線状に配置されることで、モアレ現像が減少され、ダイヤモンド形状のメッシュのアライン工程が簡素化される。
【００７４】
第１電極線１２１及び第２電極線１３１の数は、ベース基板１１０のアクティブ領域のサイズまたは隣接した第１電極線１２１及び第２電極線１３１がそれぞれ配置されるピッチに応じて調節することができる。第１電極線１２１及び第２電極線１３１のそれぞれのピッチは１００μｍ〜８００μｍ、直線状の電極の幅は０．５μｍ〜１０μｍであることが好ましい。
【００７５】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７６】
本発明の単純な変形乃至変更はいずれも本発明の領域に属するものであり、本発明の具体的な保護範囲は添付の特許請求の範囲により明確になるであろう。
【産業上の利用可能性】
【００７７】
本発明は、タッチセンサに適用可能である。
【符号の説明】
【００７８】
１００、２００  タッチセンサ
１１０  ベース基板
２１０  第１ベース基板
２３０  第２ベース基板
１２０  第１電極パターン（電極パターン）
１３０  第２電極パターン（電極パターン）
１２１  第１電極線
１３１  第２電極線
１２３  第３電極線
１３３  第４電極線
１５０  第１電極配線（電極配線）
１６０  第２電極配線（電極配線）
２８０  接着材
【図１】
2015032315.tif 000003
【図２】
2015032315.tif 000004
【図３】
2015032315.tif 000005
【図４】
2015032315.tif 000006
【図５】
2015032315.tif 000007
【図６】
2015032315.tif 000008
【図７】
2015032315.tif 000009
【図８】
2015032315.tif 000010
【図９】
2015032315.tif 000011
【図１０】
2015032315.tif 000012
【図１１】
2015032315.tif 000013